(57)【要約】【課題】本発明は、登録された情報と手入力時に参照された情報との間に相違がないか確認する作業の効率を高めることを課題とする。【解決手段】本発明の処理システム１０は、第１のシステム３０に登録された登録データの内容を示す読み上げ対象データを取得し、読み上げ対象データを端末装置２０に送信して音声出力させ、端末装置２０を介して入力された入力情報を取得し、入力情報に含まれる読み上げ対象データに対する回答を登録する。【選択図】図２
2020067808.tif 000002
【特許請求の範囲】
【請求項１】
第１のシステムに登録された登録データの内容を示す読み上げ対象データを取得する読み上げ対象データ取得手段と、
前記読み上げ対象データを端末装置に送信し、音声出力させる音声出力制御手段と、
前記端末装置を介して入力された入力情報を取得する入力情報得手段と、
前記入力情報に含まれる前記読み上げ対象データに対する回答を登録する登録手段と、
を有する処理システム。
【請求項２】
請求項１に記載の処理システムにおいて、
前記第１のシステムは、営放システムであり、
前記登録データは、番組進行表である処理システム。
【請求項３】
請求項１又は２に記載の処理システムにおいて、
前記音声出力制御手段は、前記入力情報に基づき、前記端末装置に音声出力させる内容を決定する処理システム。
【請求項４】
請求項３に記載の処理システムにおいて、
前記音声出力制御手段は、
前記読み上げ対象データを一部ずつ前記端末装置に送信して音声出力させ、
前記入力情報が第１の内容を示す場合、前記読み上げ対象データの他の一部を前記端末装置に送信し、音声出力させ、
前記入力情報が第２の内容を示す場合、前記登録データの修正処理に関する文字列を示すデータを前記端末装置に送信し、音声出力させる処理システム。
【請求項５】
請求項１から４のいずれか１項に記載の処理システムにおいて、
前記音声出力制御手段は、前記入力情報に所定の文字列が含まれる場合、前記読み上げ対象データの音声出力の設定変更リクエストを前記端末装置に送信する処理システム。
【請求項６】
請求項１から５のいずれか１項に記載の処理システムにおいて、
前記音声出力制御手段は、数字部分を他の部分よりもゆっくり音声出力するリクエストを前記端末装置に送信する処理システム。
【請求項７】
請求項１から６のいずれか１項に記載の処理システムにおいて、
前記入力情報に含まれる前記登録データの修正内容に基づき、前記登録データの修正リクエストを前記第１のシステムに送信する修正手段をさらに有する処理システム。
【請求項８】
請求項１から７のいずれか１項に記載の処理システムにおいて、
前記登録データと参照情報とを照合する確認作業の進捗を示す進捗情報をディスプレイに表示させる表示制御手段をさらに有する処理システム。
【請求項９】
コンピュータを、
第１のシステムに登録された登録データの内容を示す読み上げ対象データを取得する読み上げ対象データ取得手段、
前記読み上げ対象データを端末装置に送信し、音声出力させる音声出力制御手段、
前記端末装置を介して入力された入力情報を取得する入力情報得手段、
前記入力情報に含まれる前記読み上げ対象データに対する回答を登録する登録手段、
として機能させるプログラム。
【請求項１０】
コンピュータが
第１のシステムに登録された登録データの内容を示す読み上げ対象データを取得し、
前記読み上げ対象データを端末装置に送信し、音声出力させ、
前記端末装置を介して入力された入力情報を取得し、
前記入力情報に含まれる前記読み上げ対象データに対する回答を登録する処理方法。
【発明の詳細な説明】
【技術分野】
【０００１】
本発明は、処理システム、処理方法及びプログラムに関する。
【背景技術】
【０００２】
特許文献１には、放送番組の番組開始時刻を含む番組進行情報を画面上に表示して番組支援を行うためにコンピュータを、番組のスタンバイ時刻をチェックする手段と、当該スタンバイ時刻になったときで放送中の番組が存在しなかったときには、当該スタンバイ中の番組における番組進行情報を取得する手段と、当該番組進行情報をキューシートとして画面表示する手段と、上記スタンバイ時刻になったときで、放送中の番組が存在したときは、当該番組の後の番組であって、スタンバイ中の番組における番組進行情報を取得する手段と、現在放送中の番組のキューシート画面上に、上記スタンバイ中の後の番組の番組進行情報をキューシートとして同一画面上に同時に表示する手段として機能させることを特徴とする番組支援方法が開示されている。
【先行技術文献】
【特許文献】
【０００３】
【特許文献１】特開２００６−７４２４０号公報
【発明の概要】
【発明が解決しようとする課題】
【０００４】
オペレータが、紙媒体等に記載された情報を参照しながら、当該情報を手入力でシステムに登録する作業（以下、「手入力登録作業」）がある。例えば、放送局のオペレータが、番組制作会社により作成されたキューシートを参照しながら、キューシートに記載された情報を手入力で営放システムに登録する作業などが該当する。なお、手入力登録作業の当該例示はあくまで一例であり、これに限定されない。
【０００５】
ところで、手入力登録作業においては、入力ミス等の人為的なミスが発生し得る。このため、登録後に、登録された情報と手入力時に参照された情報とを照合して、入力ミス等がないか確認する確認作業が必要になる。上述のようなキューシートに関する手入力登録作業を行う放送局では、例えば、図１に示すように、１人が登録された情報（登録情報）を読み上げ、もう一人が読み上げられた情報と手入力時に参照された情報（参照情報）とを照合することで、当該確認作業が実現される。このような確認作業は人手を要し、効率が悪い。
【０００６】
本発明は、登録された情報と手入力時に参照された情報との間に相違がないか確認する作業の効率を高めることを課題とする。
【課題を解決するための手段】
【０００７】
本発明によれば、
第１のシステムに登録された登録データの内容を示す読み上げ対象データを取得する読み上げ対象データ取得手段と、
前記読み上げ対象データを端末装置に送信し、音声出力させる音声出力制御手段と、
前記端末装置を介して入力された入力情報を取得する入力情報得手段と、
前記入力情報に含まれる前記読み上げ対象データに対する回答を登録する登録手段と、
を有する処理システムが提供される。
【０００８】
また、本発明によれば、
コンピュータを、
第１のシステムに登録された登録データの内容を示す読み上げ対象データを取得する読み上げ対象データ取得手段、
前記読み上げ対象データを端末装置に送信し、音声出力させる音声出力制御手段、
前記端末装置を介して入力された入力情報を取得する入力情報得手段、
前記入力情報に含まれる前記読み上げ対象データに対する回答を登録する登録手段、
として機能させるプログラムが提供される。
【０００９】
また、本発明によれば、
コンピュータが
第１のシステムに登録された登録データの内容を示す読み上げ対象データを取得し、
前記読み上げ対象データを端末装置に送信し、音声出力させ、
前記端末装置を介して入力された入力情報を取得し、
前記入力情報に含まれる前記読み上げ対象データに対する回答を登録する処理方法が提供される。
【発明の効果】
【００１０】
本発明によれば、登録された情報と手入力時に参照された情報との間に相違がないか確認する作業の効率が高まる。
【図面の簡単な説明】
【００１１】
【図１】確認作業の従来例を示す図である。
【図２】本実施形態の確認システムの機能ブロック図の一例である。
【図３】本実施形態の装置のハードウエア構成の一例を示す図である。
【図４】本実施形態の処理システムの機能ブロック図の一例である。
【図５】本実施形態の登録データの一例を示す図である。
【図６】本実施形態の処理システムの処理の流れの一例を示すフローチャートである。
【図７】本実施形態の処理システムの機能ブロック図の一例である。
【図８】本実施形態の処理システムで実現される処理の一例を示す図である。
【図９】本実施形態の確認システムの機能ブロック図の一例である。
【図１０】本実施形態の処理システムの機能ブロック図の一例である。
【図１１】本実施形態の確認システムで表示される情報の一例を示す図である。
【図１２】本実施形態の処理システムで実現される処理の一例を示す図である。
【図１３】本実施形態の読み上げ対象データの一例を示す図である。
【発明を実施するための形態】
【００１２】
＜第１の実施形態＞
まず、図２の機能ブロック図を用いて、本実施形態の確認システムの全体像及び概要を説明する。
【００１３】
本実施形態の確認システムは、処理システム１０と端末装置２０とを有する。確認システムは、さらに第１のシステム３０を有してもよい。処理システム１０と端末装置２０とは、有線及び／又は無線で互いに通信可能になっている。また、処理システム１０と第１のシステム３０とは、有線及び／又は無線で互いに通信可能になっている。
【００１４】
第１のシステム３０には、手入力登録作業により登録されたデータ（登録データ）が記憶されている。
【００１５】
端末装置２０は、スピーカと、テキストデータを音声データに変換してスピーカから出力させる手段と、入力手段とを有する。入力手段は、例えばマイク、物理ボタン、タッチパネルディスプレイ、キーボード、マウス等であるが、本実施形態では、端末装置２０はマイクを有するものとする。端末装置２０は、第１のシステム３０に登録された情報と、手入力時に参照された情報とを照合する確認作業を行うオペレータ（以下、「確認作業オペレータ」）の側に置かれる。
【００１６】
処理システム１０は、第１のシステム３０に登録された登録データの内容を示す読み上げ対象データを取得する。読み上げ対象データは登録データそのものであってもよいし、登録データを編集（テキスト化、情報の整列、ファイル形式の変更、辞書データを用いた文字列の変換等）したデータであってもよい。
【００１７】
そして、処理システム１０は、読み上げ対象データを端末装置２０に送信し、音声出力させる。図示する例では、端末装置２０は、「２１時０３分２０秒、キュー付きＣＭ１が２分」と音声出力している。
【００１８】
確認作業オペレータは、端末装置２０により読み上げられた情報（音声出力された情報）と手入力時に参照された情報とを照合する。そして、確認作業オペレータは、照合結果を端末装置２０に入力する。例えば、確認作業オペレータは、端末装置２０が有するマイクを介して、照合結果を音声入力する。図示する例では、「ＯＫ」という文言が、照合結果として端末装置２０に音声入力されている。端末装置２０は、入力された入力情報を処理システム１０に送信する。
【００１９】
処理システム１０は、端末装置２０から入力情報を取得する。そして、処理システム１０は、入力情報に含まれる読み上げ対象データに対する回答（照合結果）を登録する。
【００２０】
次に、処理システム１０の構成を詳細に説明する。まず、処理システム１０のハードウエア構成の一例について説明する。本実施形態の処理システム１０が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２１】
図３は、本実施形態の処理システム１０のハードウエア構成を例示するブロック図である。図３に示すように、処理システム１０は、プロセッサ１Ａ、メモリ２Ａ、入出力インターフェイス３Ａ、周辺回路４Ａ、バス５Ａを有する。周辺回路４Ａには、様々なモジュールが含まれる。処理システム１０は周辺回路４Ａを有さなくてもよい。なお、処理システム１０は物理的及び／又は論理的に分かれた複数の装置で構成されてもよい。この場合、複数の装置各々が上記ハードウエア構成を備えることができる。
【００２２】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサ、カメラ等から情報を取得するためのインターフェイスや、出力装置、外部装置、外部サーバ等に情報を出力するためのインターフェイスなどを含む。入力装置は、例えばキーボード、マウス、マイク等である。出力装置は、例えばディスプレイ、スピーカ、プリンター、メーラ等である。プロセッサ１Ａは、各モジュールに指令を出し、それらの演算結果をもとに演算を行うことができる。
【００２３】
次に、処理システム１０の機能構成の一例について説明する。図４の機能ブロック図に示すように、処理システム１０は、読み上げ対象データ取得部１１と、音声出力制御部１２と、入力情報取得部１３と、登録部１４とを有する。
【００２４】
読み上げ対象データ取得部１１は、第１のシステムに登録された登録データの内容を示す読み上げ対象データを取得する。
【００２５】
本明細書において、「取得」とは、「自装置が他の装置や記憶媒体に格納されているデータを取りに行くこと（能動的な取得）」、たとえば、他の装置にリクエストまたは問い合わせして受信すること、他の装置や記憶媒体にアクセスして読み出すこと等、および、「自装置に他の装置から出力されるデータを入力すること（受動的な取得）」、たとえば、配信（または、送信、プッシュ通知等）されるデータを受信すること、また、受信したデータまたは情報の中から選択して取得すること、及び、「データを編集（テキスト化、データの整列、一部データの抽出、ファイル形式の変更、辞書データを用いた文字列の変換等）などして新たなデータを生成し、当該新たなデータを取得すること」の少なくともいずれか一方を含む。
【００２６】
登録データは、手入力登録作業によって第１のシステム３０に入力及び登録されたデータである。手入力登録作業は、オペレータ（以下、「登録オペレータ」）が紙媒体等に記載された情報を参照しながら、当該情報を手入力でシステムに登録する作業である。
【００２７】
このような登録データは、例えば、番組開始時刻や、番組内の各コーナー及び番組中に放送されるＣＭ（commercial message）の放送時刻等を示す番組進行表（いわゆる「キューシート」）であってもよい（図５参照）。その他、登録データは、納品日、発注量、発注商品等を含む注文データであってもよいし、経理データであってもよいし、その他であってもよい。
【００２８】
読み上げ対象データは、端末装置２０による「テキストデータから音声データへの変換」を実行可能なファイル形式のテキストデータである。読み上げ対象データは登録データそのものであってもよいし、登録データを編集（テキスト化、情報の整列、ファイル形式の変更、辞書データを用いた文字列の変換等）したデータであってもよい。登録データから読み上げ対象データを生成する処理は、処理システム１０が行ってもよいし、処理システム１０と異なる外部装置が行ってもよい。
【００２９】
図４に戻り、音声出力制御部１２は、読み上げ対象データを端末装置２０に送信し、音声出力させる。
【００３０】
入力情報取得部１３は、端末装置２０を介して入力された入力情報を取得する。端末装置２０が備える入力手段は、例えばマイク、物理ボタン、タッチパネルディスプレイ、キーボード、マウス等であるが、本実施形態では、端末装置２０はマイクを有するものとする。
【００３１】
例えば、確認作業オペレータは、端末装置２０により読み上げられた情報（音声出力された情報）と手入力時に参照された情報とを照合し、照合結果を端末装置２０に入力する。予め、照合結果が「一致」の場合に入力する文言と、照合結果が「不一致」の場合に入力する文言とが定められていてもよい。例えば、照合結果が「一致」の場合に入力する文言は「ＯＫ」、「一致」等の文言であってもよい。また、照合結果が「不一致」の場合に入力する文言は「ＮＧ」、「不一致」等の文言であってもよい。
【００３２】
端末装置２０は、マイクが生成した音声データをテキストデータに変換した後、変換後のテキストデータを入力情報として処理システム１０に送信する。なお、端末装置２０はマイクが生成した音声データを入力情報として処理システム１０に送信してもよい。そして、処理システム１０が音声データをテキストデータに変換してもよい。
【００３３】
登録部１４は、入力情報に含まれる読み上げ対象データに対する回答（照合結果）を登録する。登録部１４は、入力情報の中から、照合結果が「一致」の場合に入力される文言、及び、照合結果が「不一致」の場合に入力される文言を検索し、検索した文言に対応する照合結果を登録することができる。
【００３４】
次に、図６のフローチャートを用いて、処理システム１０の処理の流れの一例を説明する。
【００３５】
まず、読み上げ対象データ取得部１１は、第１のシステム３０に登録された登録データの内容を示す読み上げ対象データを取得する（Ｓ１０）。次いで、音声出力制御部１２は、読み上げ対象データを端末装置２０に送信し、音声出力させる（Ｓ１１）。次いで、入力情報取得部１３は、端末装置２０を介して入力された入力情報を取得する（Ｓ１２）。次いで、登録部１４は、入力情報に含まれる読み上げ対象データに対する回答を登録する（Ｓ１３）。
【００３６】
以上、本実施形態の確認システムによれば、コンピュータが登録された情報を読み上げ（音声出力）、確認作業オペレータが端末装置２０により読み上げられた情報（音声出力された情報）と手入力時に参照された情報とを照合するという形式で、登録された情報と手入力時に参照された情報との間に相違がないか確認する確認作業を行うことができる。このような確認システムによれば、上記確認作業に要する人手を減らすことができる。
【００３７】
また、本実施形態の確認システムによれば、マイクを介した音声入力で、照合結果の入力を受付けることができる。結果、照合結果の入力作業が効率化される。
【００３８】
＜第２の実施形態＞
本実施形態の確認システムは、第１のシステム３０が営放システムに限定され、登録データが番組進行表（キューシート）に限定される点で、第１の実施形態と異なる。本実施形態の確認システムのその他の構成は、第１の実施形態と同様である。
【００３９】
番組制作会社は、番組を制作すると、番組を記録した媒体（例：テープ）と番組進行表を記載した媒体（例：紙媒体）とをセットにして放送局に納品する。そして、放送局の登録オペレータは、番組制作会社により作成されたキューシートを参照しながら、当該キューシートに記載された情報を手入力で営放システムに登録する作業（手入力登録作業）を行う。
【００４０】
ところで、営放システムに登録されたキューシートの情報が間違っていると、放送事故等の問題が生じ得るので、当該手入力登録作業における入力ミスは厳密に排除される必要がある。このため、営放システムにキューシートの情報が登録された後、登録された情報と手入力時に参照された情報とを照合して、入力ミス等がないか確認する確認作業が必須となる。
【００４１】
上述の通り、放送局では、例えば、図１に示すように、１人が登録された情報（登録情報）を読み上げ、もう一人が読み上げられた情報と手入力時に参照された情報（参照情報）とを照合することで、当該確認作業が実現されていた。しかし、このような確認作業は人手を要し、効率が悪い。
【００４２】
本実施形態の確認システムを当該場面に適用することで、放送局における上記確認作業が効率化される。
【００４３】
なお、キューシート（登録データ）から読み上げ対象データを生成する処理は、例えば、図５に示すようなキューシートを表計算ソフトのファイル形式に変更した後、テキスト化（ファイル形式の変更）、情報の整列、辞書データを用いた文字列の変換等を行うことで実現されてもよい。情報の整列は、予め定められたルールに従い複数種類の項目値をひとまとめにして、それら塊を所定の順に並べるものであってもよい。図５の例の場合、「２１：００：００」−「ＯＰ（１）」−「２１秒」や、「００：２１」−「ＯＰ（２）」−「３秒」等をひとまとめにし、それら塊を図中左側に位置する情報から順に並べるルールが定められてもよい。ひとまとめにされた情報の並び順は、例えば、「時刻」→「フォーマット」→「時間」等のように予め定められたルールに従ったものとすることができる。
【００４４】
辞書データにおいては、例えば、「ＯＰ（１）」を「オープニング１」に変更するルールや、「２１：００：００」を「２１時００分００秒」に変更するルール等、登録データに含まれ得る文字列を、読み上げ（音声出力）に適した文字列に変更するルールが定義されている。図１３に、図５に示す登録データから生成された読み上げ対象データの一例を模式的に示す。
【００４５】
＜第３の実施形態＞
本実施形態の確認システムは、処理システム１０の処理内容がより具体化される点で、第１及び第２の実施形態と異なる。本実施形態の確認システムのその他の構成は、第１及び第２の実施形態のいずれかと同様である。以下、第１及び／又は第２の実施形態と異なる点を中心に説明する。
【００４６】
本実施形態の処理システム１０の機能ブロック図の一例は、図４で示される。図示するように、処理システム１０は、読み上げ対象データ取得部１１と、音声出力制御部１２と、入力情報取得部１３と、登録部１４とを有する。読み上げ対象データ取得部１１、入力情報取得部１３及び登録部１４の構成は、第１及び第２の実施形態のいずれかと同様である。
【００４７】
音声出力制御部１２は、読み上げ対象データを一部ずつ端末装置２０に送信して音声出力させる。一部の区切り方は設計的事項である。例えば、図５及び図１３に示す例の場合、音声出力制御部１２は、「２１時００分００秒、オープニング１、２１秒」、「００分２１秒、オープニング２、３秒」等のように、時刻−フォーマット−時間のグループ毎に区切ってもよい。
【００４８】
また、音声出力制御部１２は、入力情報取得部１３が取得した入力情報に基づき、端末装置２０に音声出力させる内容を決定する。具体的には、音声出力制御部１２は、入力情報にあらかじめ定められた文字列が含まれていることを検出する。そして、入力情報取得部１３は、あらかじめ定められた文字列が含まれていることを検出した場合に端末装置２０に音声出力させるテキストを定めた出力ルールと、上記検出結果とに基づき、端末装置２０に音声出力させるテキストデータを決定する。
【００４９】
例えば、「ＯＫ」、「ＮＧ」等のような照合結果を示す文字列が含まれている場合、音声出力制御部１２は、読み上げ対象データの他の一部を次に音声出力させるテキストデータとして決定してもよい。
【００５０】
また、「もう一回」、「リピート」等のようなもう一度同じテキストの読み上げをリクエストする文字列が含まれている場合、音声出力制御部１２は、その入力情報を取得する直前に音声出力させた読み上げ対象データの一部を、次に音声出力させるテキストデータとして決定してもよい。
【００５１】
なお、音声出力制御部１２は、入力情報に所定の文字列が含まれる場合、読み上げ対象データの音声出力の設定変更リクエストを端末装置２０に送信してもよい。端末装置２０は、当該設定変更リクエストに基づき、音声出力の設定を変更する。音声出力の設定項目は、テキストの読み上げ速度、出力される音声のトーン（高さ）、音量等である。その他、読み上げる音声として、男性の声、女性の声、子供の声等の複数種類の声が予め登録されている場合、音声出力の設定項目には当該声の種類が含まれてもよい。
【００５２】
例えば、「もう一回」、「リピート」等のようなもう一度同じテキストの読み上げをリクエストする文字列が含まれている場合、音声出力制御部１２は、テキストの読み上げ速度をそれまでよりも遅くする設定変更リクエストや、音量をそれまでよりも上げる設定変更リクエストを端末装置２０に送信してもよい。なお、音声出力制御部１２は、「もう一回」、「リピート」等のようなもう一度同じテキストの読み上げをリクエストする文字列が含まれる入力情報の検出に応じてその入力情報を取得する直前に音声出力させた読み上げ対象データの一部を再度音声出力させる時のみ、テキストの読み上げ速度をそれまでよりも遅くしたり、音量をそれまでよりも上げたりさせてもよい。そして、当該音声出力の後には、音声出力制御部１２は、テキストの読み上げ速度や音量を元の状態に戻す設定変更リクエストを端末装置２０に送信してもよい。
【００５３】
その他、「ゆっくり」、「はやく」、「大きく」、「小さく」、「男性の声」、「女性の声」等のような音声出力の設定の変更を示す文字列が含まれている場合、音声出力制御部１２は、当該文字列に応じた設定変更リクエストを端末装置２０に送信してもよい。
【００５４】
また、音声出力制御部１２は、数字部分を他の部分よりもゆっくり音声出力するリクエストを端末装置２０に送信してもよい。
【００５５】
以上説明した本実施形態の確認システムによれば、第１及び第２の実施形態と同様な作用効果が実現される。
【００５６】
また、本実施形態の確認システムによれば、端末装置２０を介して入力された情報に基づき、次に端末装置２０に音声出力させる内容を決定したり、端末装置２０からの音声出力の設定を変更したりできる。すなわち、確認システムは、確認作業オペレータの発言内容に応じて、端末装置２０から出力させる情報を決定することができる。このため、確認作業オペレータは、図１を用いて示した従来例のように人を相手にして確認作業を行っている場合に比べて特に不便な点もなく、確認作業を行うことができる。
【００５７】
＜第４の実施形態＞
本実施形態の確認システムは、登録データを修正する機能を有する点で、第１乃至第３の実施形態と異なる。本実施形態の確認システムのその他の構成は、第１乃至第３の実施形態のいずれかと同様である。以下、第１乃至第３の実施形態と異なる点を中心に説明する。
【００５８】
本実施形態の処理システム１０の機能ブロック図の一例は、図７で示される。図示するように、処理システム１０は、読み上げ対象データ取得部１１と、音声出力制御部１２と、入力情報取得部１３と、登録部１４と、修正部１５とを有する。読み上げ対象データ取得部１１、音声出力制御部１２、入力情報取得部１３及び登録部１４の構成は、第１乃至第３の実施形態のいずれかと同様である。
【００５９】
修正部１５は、入力情報に含まれる登録データの修正内容に基づき、登録データの修正リクエストを第１のシステム３０に送信する。第１のシステム３０は、当該修正リクエストに基づき、自装置内に記憶されている登録データを修正する。
【００６０】
例えば、修正部１５は、「（文字列Ａ）の（文字列Ｂ）を（文字列Ｃ）に修正」等のように、修正処理に関する文字列を入力情報から検出してもよい。修正処理に関する文字列の具体例としては、「オープニング１の２１秒を２０秒に修正」等が該当する。
【００６１】
そして、修正処理に関する文字列を検出した場合、修正部１５は、修正処理に関する文字列から第１のシステム３０に送信する修正リクエストを生成し、生成した修正リクエストを第１のシステム３０に送信してもよい。第１のシステム３０は、当該修正リクエストに基づき、登録データを修正する。
【００６２】
例えば、修正処理に関する文字列が、上述のように「（文字列Ａ）の（文字列Ｂ）を（文字列Ｃ）に修正」という形式である場合、修正部１５は、（文字列Ａ）に紐付けられた（文字列Ｂ）を（文字列Ｃ）に変更する修正リクエストを生成する。第１のシステム３０は、登録データの中から、（文字列Ａ）に紐付けられた（文字列Ｂ）を検索し、検索した（文字列Ｂ）を（文字列Ｃ）に変更する。なお、修正処理に関する文字列の形式や、修正処理に関する文字列から修正リクエストを生成する処理のルールは様々であり、ここでの例示に限定されない。
【００６３】
修正部１５は、修正処理に関する文字列を検出する毎に、第１のシステム３０に修正リクエストを送信してもよいし、任意のタイミングで、複数の修正リクエストをまとめて第１のシステム３０に送信してもよい。
【００６４】
以上説明した本実施形態の確認システムによれば、第１乃至第３の実施形態と同様な作用効果が実現される。
【００６５】
また、本実施形態の確認システムによれば、登録された情報と手入力時に参照された情報との間に相違がないか確認する作業を行いながら、第１のシステム３０に登録されている登録データを修正することができる。このような確認システムによれば、確認作業オペレータによる作業の効率が高まる。
【００６６】
＜第５の実施形態＞
本実施形態の確認システムは、端末装置２０に入力された照合結果が「不一致」の場合、登録データの修正に関する処理を実行する点で、第１乃至第４の実施形態と異なる。本実施形態の確認システムのその他の構成は、第１乃至第４の実施形態のいずれかと同様である。以下、第１乃至第４の実施形態と異なる点を中心に説明する。
【００６７】
本実施形態の処理システム１０の機能ブロック図の一例は、図７で示される。図示するように、処理システム１０は、読み上げ対象データ取得部１１と、音声出力制御部１２と、入力情報取得部１３と、登録部１４と、修正部１５とを有する。読み上げ対象データ取得部１１、入力情報取得部１３及び登録部１４の構成は、第１乃至第４の実施形態のいずれかと同様である。
【００６８】
音声出力制御部１２は、読み上げ対象データを一部ずつ端末装置２０に送信して音声出力させる。一部の区切り方は設計的事項である。例えば、図５及び図１３に示す例の場合、音声出力制御部１２は、「２１時００分００秒、オープニング１、２１秒」、「００分２１秒、オープニング２、３秒」等のように、時刻−フォーマット−時間のグループ毎に区切ってもよい。
【００６９】
そして、音声出力制御部１２は、入力情報が第１の内容（照合結果が一致）を示す場合、読み上げ対象データの他の一部を端末装置２０に送信し、音声出力させる。一方、入力情報が第２の内容（照合結果が不一致）を示す場合、音声出力制御部１２は、登録データの修正に関する文言（文字列）を示すテキストデータを端末装置２０に送信し、音声出力させる。
【００７０】
登録データの修正に関する文言は、「登録データを修正しますか？」、「時刻を修正しますか？」、「フォーマットを修正しますか？」、「時間を修正しますか？」、「修正後の値を発言して下さい」等であるが、これらに限定されない。予め、各質問に対する回答に応じて、次に出力させる文言が定められており、音声出力制御部１２は当該ルールと入力情報に含まれる文字列とに基づき、次に端末装置２０に音声出力させる文言を決定する。
【００７１】
図８に、端末装置２０から出力される文言の一例を示す。最初に、処理システム１０は、端末装置２０に、読み上げ対象データの一部である「２１時０３分２０秒、キュー付きＣＭ１、２分」を、端末装置２０に音声出力させている。これに対して、「ＮＧ」という照合結果（不一致）が端末装置２０に入力されている。
【００７２】
当該入力に対して、処理システム１０は、「開始時刻を修正しますか？」という文言を、端末装置２０に音声出力させている。これに対して、「ＮＯ」という文言が端末装置２０に入力されている。
【００７３】
当該入力に対して、処理システム１０は、「長さを修正しますか？」という文言を、端末装置２０に音声出力させている。これに対して、「ＯＫ」という文言が端末装置２０に入力されている。
【００７４】
当該入力に対して、処理システム１０は、「長さは何秒ですか？」という文言を、端末装置２０に音声出力させている。これに対して、「９０秒」という文言が端末装置２０に入力されている。
【００７５】
当該入力に対して、処理システム１０は、「長さを９０秒に設定します。始めからチェックをやり直しますか？」という文言を、端末装置２０に音声出力させている。これに対して、「ＯＫ」という文言が端末装置２０に入力されている。
【００７６】
当該入力に対して、処理システム１０は、処理中の読み上げ対象データの最初の一部を、端末装置２０に音声出力させることになる（不図示）。
【００７７】
修正部１５は、入力情報に含まれる登録データの修正内容に基づき、登録データの修正リクエストを第１のシステム３０に送信する。例えば、図８に示すようなやり取りが行われた場合、修正部１５は、「２１時０３分２０秒、キュー付きＣＭ１」に紐付けられた「２分」を「９０秒」に変更する修正リクエストを生成し、第１のシステム３０に送信する。第１のシステム３０は、登録データの中から、「２１時０３分２０秒、キュー付きＣＭ１」に紐付けられた「２分」を検索し、検索した「２分」を「９０秒」に変更する。なお、修正リクエストを生成する処理のルールは様々であり、ここでの例示に限定されない。
【００７８】
以上説明した本実施形態の確認システムによれば、第１乃至第４の実施形態と同様な作用効果が実現される。
【００７９】
また、本実施形態の確認システムによれば、登録された情報と手入力時に参照された情報との間に相違があること（不一致を示す照合結果）が入力されると、当該入力に応じて登録内容を変更する処理を行うことができる。このように、本実施形態の確認システムによれば、入力ミスの検出に応じて登録内容を変更する処理を実行できるので、入力ミスが存在するまま放置される不都合を回避できる。
【００８０】
＜第６の実施形態＞
本実施形態の確認システムは、図９の機能ブロック図に示すようにディスプレイ４０を有し、処理システム１０は登録データと参照情報とを照合する確認作業の進捗を示す進捗情報をディスプレイ４０に表示させる点で、第１乃至第５の実施形態と異なる。本実施形態の確認システムのその他の構成は、第１乃至第５の実施形態のいずれかと同様である。以下、第１乃至第５の実施形態と異なる点を中心に説明する。
【００８１】
本実施形態の処理システム１０の機能ブロック図の一例は、図１０で示される。図示するように、処理システム１０は、読み上げ対象データ取得部１１と、音声出力制御部１２と、入力情報取得部１３と、登録部１４と、表示制御部１６とを有する。図示しないが、処理システム１０はさらに修正部１５を有してもよい。読み上げ対象データ取得部１１、音声出力制御部１２、入力情報取得部１３、登録部１４及び修正部１５の構成は、第１乃至第５の実施形態のいずれかと同様である。
【００８２】
表示制御部１６は、登録データと参照情報とを照合する確認作業の進捗を示す進捗情報をディスプレイ４０に表示させる。ディスプレイ４０は、例えば、確認作業オペレータ又は確認作業を管理する管理者が閲覧可能な場所に置かれる。
【００８３】
表示制御部１６が表示する進捗情報の一例を、図１１に示す。図示する進捗情報は、登録データを表示するとともに、登録データに含まれる複数の情報各々に対応付けて、照合済か否かを示すチェックボックスを表示している。チェックが入っている情報が照合済みの情報であり、チェックが入っていない情報が照合済みでない情報である。照合済みの情報は、音声出力制御部１２が端末装置２０から音声出力させ、入力情報取得部１３が照合結果を示す入力情報を取得し、登録部１４が照合結果を登録した情報である。照合済みでない情報は、登録部１４が照合結果を登録していない情報である。
【００８４】
なお、図１１に示す例では、チェックボックスで照合済みか否かを示したが、マーカーの付与等の他の手法を用いて、各情報が照合済みか否かを示してもよい。また、各情報に対応付けて、照合結果を表示してもよい。
【００８５】
また、表示制御部１６は、第１のシステム３０から取得した他の情報をディスプレイ４０に表示させてもよい。例えば、第１のシステム３０が営放システムである場合、表示制御部１６は、指定された日の終日の編成情報（番組やＣＭの放送開始時刻及び放送終了時刻を示す放送スケジュール）や、指定された番組の編成情報（番組内のコーナーやＣＭの放送開始時刻及び放送終了時刻を示す放送スケジュール）を営放システムから取得し、ディスプレイ４０に表示させてもよい。
【００８６】
その他、営放システムは、複数の番組毎に、登録データと参照情報とを照合する確認作業が実行済か否かを示す情報を記憶してもよい。そして、表示制御部１６は、当該情報に基づき、進捗情報を生成して、ディスプレイ４０に表示させてもよい。例えば、表示制御部１６は、指定された日の番組を一覧表示するとともに、各番組に対応付けて上記認作業が実行済か否かを示す情報を表示した画面を生成し、ディスプレイ４０に表示させてもよい。また、表示制御部１６は、指定された期間に含まれる日毎の上記確認作業の達成率を一覧表示してもよい。達成率は、各日に放送される番組数に対する上記確認作業が実行済みの番組数の割合であってもよい。達成率の表示は数字で示してもよいし、図表を用いて示してもよい。
【００８７】
その他、第１のシステム３０は、各登録データを登録した登録オペレータを管理し、また、修正部１５による修正履歴を登録データ毎に管理してもよい。そして、第１のシステム３０又は処理システム１０は、当該情報に基づき、入力ミスが多い順（修正が多い順）に登録オペレータをランキングしたランキング情報、又は、入力ミスが少ない順（修正が少ない順）に登録オペレータをランキングしたランキング情報を生成してもよい。そして、表示制御部１６は、当該ランキング情報をディスプレイ４０に表示させてもよい。
【００８８】
その他、処理システム１０は、上記確認作業に要した時間と、読み上げ対象データの情報量（例：文字数）とに基づき、確認作業オペレータ各々の作業スピードを算出してもよい。そして、表示制御部１６は、確認作業オペレータ各々の作業スピードをディスプレイ４０に表示させてもよい。また、処理システム１０は、作業スピードの速い順に確認作業オペレータをランキングしたランキング情報、又は、作業スピードの遅い順に確認作業オペレータをランキングしたランキング情報を生成してもよい。そして、表示制御部１６は、当該ランキング情報をディスプレイ４０に表示させてもよい。
【００８９】
また、入力情報取得部１３は、上記実施形態で説明した入力情報を、端末装置２０経由で取得する手段に加えて、ディスプレイ４０に表示されたＵＩ（user interface）画面を介して取得する手段を備えてもよい。
【００９０】
以上説明した本実施形態の確認システムによれば、第１乃至第５の実施形態と同様な作用効果が実現される。
【００９１】
また、本実施形態の確認システムによれば、登録データと参照情報とを照合する確認作業の進捗を確認することができる。このため、照合漏れのまま放送タイミングになる不都合等を回避できる。
【００９２】
＜第７の実施形態＞
本実施形態の確認システムは、登録データが登録される前に営放システムに登録されていた前データと、登録データとの照合結果を、端末装置２０を介して音声出力させる点で、第１乃至第６の実施形態と異なる。本実施形態の確認システムのその他の構成は、第１乃至第６の実施形態のいずれかと同様である。以下、第１乃至第６の実施形態と異なる点を中心に説明する。
【００９３】
本実施形態の処理システム１０の機能ブロック図の一例は、図４、図７又は図１０で示される。図示するように、処理システム１０は、読み上げ対象データ取得部１１と、音声出力制御部１２と、入力情報取得部１３と、登録部１４とを有する。そして、処理システム１０は、修正部１５及び／又は表示制御部１６をさらに有することができる。読み上げ対象データ取得部１１、入力情報取得部１３、登録部１４、修正部１５及び表示制御部１６の構成は、第１乃至第６の実施形態のいずれかと同様である。
【００９４】
音声出力制御部１２は、登録データが登録される前に第１のシステム３０に登録されていた前データと、登録データとの照合結果を、端末装置２０を介して音声出力させる。
【００９５】
ここで、前データの一例を説明するが、これに限定されない。例えば、放送局は、放送開始時刻、放送終了時刻、番組内で放送されるＣＭの放送開始時刻、当該ＣＭの放送終了時刻等を指定して、番組制作会社に番組の制作を依頼する。そして、当該依頼で指定された上記情報が前データとして営放システム（第１のシステム３０）に登録される。前データが含む情報は、登録データが含む情報の少なくとも一部となる。
【００９６】
営放システムは、登録データが登録されると、登録データと前データとを照合する。処理システム１０は、この照合結果を営放システムから取得し、端末装置２０に音声出力させる。
【００９７】
なお、音声出力制御部１２は、読み上げ対象データを一部ずつ端末装置２０に送信して音声出力させる場合、図１２に示すように、読み上げ対象データの一部の音声出力時に、その一部が示す登録データと前データとの照合結果を音声出力してもよい。図示する例の場合、「２１時０３分２５秒、ＣＵＥ付きＣＭ１、２分」が読み上げ対象データの一部であり、「依頼内容と異なります」が登録データと前データとの照合結果である。なお、音声出力制御部１２は、登録データと前データとの照合結果が、不一致である場合のみ、登録データと前データとの照合結果を音声出力させてもよい。
【００９８】
以上説明した本実施形態の確認システムによれば、第１乃至第６の実施形態と同様な作用効果が実現される。
【００９９】
また、本実施形態の確認システムによれば、登録データの内容を音声出力させるとともに、その登録データに関する他の情報（前データとの照合結果）を音声出力させることができる。結果、確認システムで実現できる確認作業をより利便性の高いものにすることができる。
【０１００】
以下、参考形態の例を付記する。
１．  第１のシステムに登録された登録データの内容を示す読み上げ対象データを取得する読み上げ対象データ取得手段と、
前記読み上げ対象データを端末装置に送信し、音声出力させる音声出力制御手段と、
前記端末装置を介して入力された入力情報を取得する入力情報得手段と、
前記入力情報に含まれる前記読み上げ対象データに対する回答を登録する登録手段と、
を有する処理システム。
２．  １に記載の処理システムにおいて、
前記第１のシステムは、営放システムであり、
前記登録データは、番組進行表である処理システム。
３．  １又は２に記載の処理システムにおいて、
前記音声出力制御手段は、前記入力情報に基づき、前記端末装置に音声出力させる内容を決定する処理システム。
４．  ３に記載の処理システムにおいて、
前記音声出力制御手段は、
前記読み上げ対象データを一部ずつ前記端末装置に送信して音声出力させ、
前記入力情報が第１の内容を示す場合、前記読み上げ対象データの他の一部を前記端末装置に送信し、音声出力させ、
前記入力情報が第２の内容を示す場合、前記登録データの修正処理に関する文字列を示すデータを前記端末装置に送信し、音声出力させる処理システム。
５．  １から４のいずれかに記載の処理システムにおいて、
前記音声出力制御手段は、前記入力情報に所定の文字列が含まれる場合、前記読み上げ対象データの音声出力の設定変更リクエストを前記端末装置に送信する処理システム。
６．  １から５のいずれかに記載の処理システムにおいて、
前記音声出力制御手段は、数字部分を他の部分よりもゆっくり音声出力するリクエストを前記端末装置に送信する処理システム。
７．  １から６のいずれかに記載の処理システムにおいて、
前記入力情報に含まれる前記登録データの修正内容に基づき、前記登録データの修正リクエストを前記第１のシステムに送信する修正手段をさらに有する処理システム。
８．  １から７のいずれかに記載の処理システムにおいて、
前記登録データと参照情報とを照合する確認作業の進捗を示す進捗情報をディスプレイに表示させる表示制御手段をさらに有する処理システム。
９．  コンピュータを、
第１のシステムに登録された登録データの内容を示す読み上げ対象データを取得する読み上げ対象データ取得手段、
前記読み上げ対象データを端末装置に送信し、音声出力させる音声出力制御手段、
前記端末装置を介して入力された入力情報を取得する入力情報得手段、
前記入力情報に含まれる前記読み上げ対象データに対する回答を登録する登録手段、
として機能させるプログラム。
１０．  コンピュータが
第１のシステムに登録された登録データの内容を示す読み上げ対象データを取得し
前記読み上げ対象データを端末装置に送信し、音声出力させ、
前記端末装置を介して入力された入力情報を取得し、
前記入力情報に含まれる前記読み上げ対象データに対する回答を登録する処理方法。
【符号の説明】
【０１０１】
１Ａ    プロセッサ
２Ａ    メモリ
３Ａ    入出力Ｉ／Ｆ
４Ａ    周辺回路
５Ａ    バス
１０    処理システム
１１    読み上げ対象データ取得部
１２    音声出力制御部
１３    入力情報取得部
１４    登録部
１５    修正部
１６    表示制御部
２０    端末装置
３０    第１のシステム
４０    ディスプレイ
【図１】
2020067808.tif 000003
【図２】
2020067808.tif 000004
【図３】
2020067808.tif 000005
【図４】
2020067808.tif 000006
【図５】
2020067808.tif 000007
【図６】
2020067808.tif 000008
【図７】
2020067808.tif 000009
【図８】
2020067808.tif 000010
【図９】
2020067808.tif 000011
【図１０】
2020067808.tif 000012
【図１１】
2020067808.tif 000013
【図１２】
2020067808.tif 000014
【図１３】
2020067808.tif 000015